(57)【要約】【課題】  携行性に優れるとともに名刺の出し入れが簡便で、長期に美観を保持しえる名刺ケースの提供。【解決手段】  透明でその一側面に傾斜状のエンボス細線条が形成された合成樹脂シート材を素材として用い、所要の寸法形状の前面部、下辺部、後面部、上辺部及び蓋部が横折合線を介して、且前面部の両側端には縦折合線を介して前面部両側縁が、下辺部の両側端には縦折合線を介して下辺部両側縁が、及び後面部の両側端には縦折合線を介して後面部両側縁が一体的に連接された成形板材に打抜成形したる後、折合組立して名刺ケースとなす。【選択図】図１
0003126760.tif 000002
【実用新案登録請求の範囲】
【請求項１】
透明でその一側面に所定間隔を以って傾斜状にエンボス細線状が形成された合成樹脂シート材を素材として用い、上辺中央が下端の横折合線までの略１／３の範囲に凹陥切欠された切欠部と、該切欠部上辺と下端横折合線との中央中間位置に、横方向に所要の長さで係止スリットが形成された前面部と、該前面部下端横折合線より所要の間隔で後方に折合され形成される下辺部と、該下辺部他端の横折合線を上方に折合して後面部が形成され、且この後面部他端の横折合線を前方に、而も下辺部と同等間隔に折合されて上辺部が形成され、更に該上辺部他端の横折合線からは、半円弧状で且その頂部が前面部の係止スリットの下部位まで配位される長さで、且係止スリットと対向する位置は該係止スリット内に挟入係止しえる半弧形状でその両側縁が一体的に流線切り込みされた係止舌を有する蓋部が折合形成されてなるとともに、下辺部の両端に縦折合線を介して形成された下辺部両側縁と、後面部両端に縦折合線を介して形成された後面部両側縁をそれぞれ直角状に折合させて相互が接合されて側辺部が形成され、且この側辺部の上面に前面部の両端に縦折合線を介して形成された前面部両側縁が直角状に折合されて側辺部に積層させたうえ、該前面部両側縁と側辺部が融着固定された構造からなる名刺ケース。
【考案の詳細な説明】
【技術分野】
【０００１】  本考案は携行性と収納性に極めて優れる名刺ケースに関するものである。
【背景技術】
【０００２】  産業活動は自由競争のもとでなされるものであるから、それぞれの企業においては常にその生産に係わる財やサービスについての改良改善若しくはコストダウンを図り、或いは販売においては販売量の拡大や新規市場若しくは新規顧客の開拓が不可欠とされている。
これがため生産部門においては、常時原料素材や副資材、加工技術、或いは加工装置等の情報の収集や見聞をなし、更に販売部門においては極めて広範囲で膨大数の販売ルートや販売店若しくは団体やグループ等への販売活動が不可欠とされる。【０００３】  而して情報の収集や見聞のため或いは販売に係る面談においては、通常短時間内でなされるばかりか新規面談に際しては面談者相互の企業内容や所属部署及び担当者気質の理解はもとより、収集した情報や知識或いは面談の主旨についても十分な確認がなされる場合が少なく、再々に亘って再確認の必要も生ずる。
これがためかかる問題を補充する重要なツールとして名刺が用いれるものであることから、その使用量は膨大量に昇り特に営業社員を多く抱える企業においては莫大な経費が強いられている。【０００４】  ところで現状の名刺は依然として名刺印刷業者に印刷依頼し、且印刷業者においては通常１００枚を一単位としてプラスチック若しくは紙素材からなる名刺箱に収納のうえ納品がなされている。
しかしながら宣伝と営業を兼務する営業部員の如く、１日に数拾枚乃至数百枚も配布する特別な場合を除けば、せいぜい１日５乃至１０枚程度の使用であって、名札箱を持っての行動は嵩高で多重であるばかりか、該名刺箱からの名刺の取り出しには逆さにする等取り出しが面倒なうえ社交上の面からも著しく見苦しさがある。【０００５】  これがため現実的には財布や定期入れ等に収納共用する場合が殆んどであるが、近年の如く保険証や免許証に加えて多種多様のカード類とも相俟って収納容量にゆとりが無く、従って無理な挟入使用により財布や定期入れ等が脹らみ変形し、衣服のポケット内への出し入れにも擦れが激しく短期に財布や定期入れ等が損傷し、特に今日では財布や定期入れ等にも高級ブランド品が多用されており、かかる問題を解決しえる名刺入れや名刺ケースは潜在的に強く要請されている。加えて財布や定期入れ等の脹みや変形により、挟入される名刺の変形や損傷が発生する問題を内在している。【０００６】  然るにかかる課題と且その解決手段からなる発明や考案については、未だ開発上市や先願もなされてなく、名刺ケースに関しては名刺を収納した状態で封筒に入れて輸送中に名刺が破損するのを防止できるものや、輸送後には使用中の名刺及び受領した他人の名刺の保管用として使用できる名刺ケース、或いは期日の調査が便利で名刺の携帯が便利で且クレジットカードを収容可能な名刺ケース、更には印刷して出来上がった名刺が収納されている名刺ケースをスタンド状に立たせることのできる名刺ケース或いはケースにレンズを取り付けたレンズ付名刺ケース等が散具されるに過ぎない。
そこで考案者は上記問題に鑑み研究を重ねた結果、本考案に想到したものである。
【考案の開示】
【考案が解決しようとする課題】
【０００７】  即ち本考案は携行性に優れるとともに名刺の出し入れが簡便で、而も長期に美観を保持しえる名刺ケースを提供することにある。
【課題を解決するための手段】
【０００８】  上述の課題を解決するために本考案が用いた技術的手段は、軽量で強靭なうえ収納されてなる名刺の確認と、且繰返し使用に際しての擦れや傷の目立ちを防止し更には補強性を付与せしめるうえから、透明でその一側面に所定間隔を以って傾斜状にエンボス細線条が形成された合成樹脂シート材を用い、一体的に折合組立て形成されるもので、上辺の中央が下端横折合線までの略１／３の範囲に凹陥切欠された切欠部と、且該切欠部上辺と下端横折合線との中間位置横方向には、所要の長さで係止スリットが形成された前面部と、該前面部下端横折合線より所要の間隔で後方に折合された下辺部と、該下辺部の他端横折合線を上方に折合して後面部が形成されている。【０００９】  更に該後面部他端の横折合線より再び前方に下辺部と同等の間隔で折合されて上辺部を形成するとともに、該上辺部の他端横折合線から半円弧状でその頂部が前面部の係止スリットの下部位にまで配位される長さで且係止スリットと対向する位置には、該係止スリット内に挟入係止しえる半円弧状で且その両側縁が一体的に流線切込みされた係止舌を有する蓋部が折合形成されている。【００１０】  そして下辺部の両側縦に折合線を介して設けられた下辺部両側縁と、後面部の両端縦に折合線を介して設けられた後面部両側縁がそれぞれ直角状に折合されることにより相互が接合して側辺部を形成し且、この側辺部の上面には前面部の両端に縦折合線を介して設けられた前面部両側縁がそれぞれ直角状に折合されて積層されたうえ、該前面部両側縁と側辺部とが融着固定させた構造の名刺ケースに存する。
【考案の効果】
【００１１】  本考案の技術手段によれば、使用素材が透明で一側面に所定間隔で傾斜状にエンボス細線条が形成された合成樹脂シートを用いるため、形成された本考案は軽量で強靭なうえ滑性も保持するため、コンパクトで且衣服ポケットへの出し入れがスムースとなしえるばかりか、収納された名刺の確認も直視判断できるとともに形成素材の一側面に所定間隔を以って傾斜状のエンボス細線条が形成されてなるため、使用とともに素材表面に被る擦れや傷等も該傾斜状細線条の模様で目立たなくなり、特には該傾斜線条が折合組立てられる本考案においては、前面部と後面部とが更に上辺部と下辺部との傾斜状細線条が交差して視覚されるため、特有の意匠性が発揮されることとも相俟って携行性と美観に著しく優れる名刺ケースである。【００１２】  そして本考案は折合組立てが可能なよう本考案を形成する前面部、下辺部、後面部、上辺部及び蓋部と、側辺部を形成する下辺部両側縁及び後面部両側縁、並びに前面部両側縁とが、それぞれ折合線が設けられたうえ一体的に打抜成形されるため、それぞれの折合線を折合させるのみで簡便且能率的に組立てがなされるとともに、折合形成される側辺部の上面に前面部両側縁が積層されて融着固定されるため、軽量コンパクトながら極めて構造強度の高い名刺ケースとなる。
加えて本考案では名刺の出し入れに際しても、蓋部の円弧先端を手前に引き上げるのみで、係止スリット内に挟入係止されてなる係止舌が容易に脱抜され、且閉塞時には係止舌を押圧変形させて係止スリット内に挟入させるのみで可能となり、而も前面部上辺中央には切欠部が設けられてなるため、名札の出し入れも極めて容易になされる。【００１３】  更に今日の如くワードプロセッサーやパソコン等印刷機能を保持する事務機器の普及状況下においては自在に名刺印刷が可能であるから、適宜に名刺印刷がなしえるとともに名刺箱も不用となる等経費削減効果は莫大である。
【考案を実施するための最良の形態】
【００１４】  透明なポリプロピレンシート材の一側面に、その間隔が略２乃至３ｍｍの傾斜状エンボス細線条を形成した素材を用いて、前面部と下辺部及び後面部や上辺部或いは蓋部とをそれぞれ横折合線を介して、更には前面部と前面部両側縁、下辺部と下辺部両側縁、後面部と後面部両側縁とが縦折合線を介して一体的に打抜成形のうえ、これら折合線を折合して組立てたうえ、側辺部と前面部両側縁とを融着固定する。
【実施例１】
【００１５】  以下に本考案実施例を図とともに詳細に説明すれば、図１は本考案の見取図、図２は本考案を折合組立てする場合に打抜成形される成形板材の展開説明図であって、本考案は携行性に優れ名刺の出し入れが簡便で、且長期に美観を保持する名刺ケースの提供にある。
これがためには、収納された名刺の確認が容易で且軽量で強靭なうえ衣服への出し入れが容易な滑性を保持すること、及び名刺の出し入れに際し繰返し屈曲される蓋部及び該蓋部の閉塞係止にかかわる係止舌の押圧変形に対抗しえる耐屈曲疲労性を保持する必要上から、素材１としてはポリプロピレンやポリエチレン若しくはポリエステルやポリカーボネート合成樹脂シート材等が選択されるもので、とりわけ安価で耐屈曲疲労性に優れるポリプロピレン合成樹脂シート材が好適である。【００１６】  加えて本考案は常時使用に供せられるものであるから、使用に際しての擦れや傷の付与に対して外観上隠蔽しえるような工夫と、且素材への補強による保形性を高めること、及び常時面談者に晒されるものであるから美観を創出させる必要もある。これがためには該素材１の一側面に所定間隔望ましくはその間隔が２乃至３ｍｍで且略４５度の傾斜状にエンボス細線条１Ａが施された素材が使用される。
かかる場合の素材１の厚さは収納枚数や使用素材によっても多少異なるが、通常においては１００枚入れの場合では略０．５乃至０．７ｍｍ程度が望ましく、且５０枚や２５枚程度の収納のものにおいては略０．３乃至０．５ｍｍ程度のもので十分である。【００１７】  そして当然ながら安価で且生産性にも優れる本考案の提供を図るうえからは、選択された素材１から折合組立により簡便に形成させるため、折合組立に係る展開形状を以って一旦打抜成形させた成形板材２を使用するものである。
この成形板材２は、図２に示すように所要の寸法でその上方側には、その上辺中央から下端の横折合線２０までの間の略１／３程度の範囲にまで凹陥切欠された切欠部３０Ａが形成され、且該切欠部３０Ａの上辺３１Ａと下端の横折合線２０との中央中間位置には、所要の長さで係止スリット３２Ａが切欠形成された前面部３Ａが配位されており、この前面部３Ａの下端横折合線２０からは所要の間隔を以って折合される下端の横折合線２０との間に下辺部３Ｂが配位されている。
かかる場合に、前面部３Ａの縦及び横方向の寸法は、収納される名刺のサイズに合せて形成されるものであるが、該下辺部３Ｂの間隔は収納される名刺の紙厚や収納枚数により具体的に決定されるもので、通常の名刺で且１００枚の収納の場合には略２５乃至２８ｍｍ程度となるから、５０枚の収納では略１２乃至１４ｍｍ程度が目処となる。かかる場合の横折合線２０や後述する縦折合線２１は、尖鋭な加圧ロール等により素材１に加圧凹条を形成させることにより容易に形成される。【００１８】  下辺部３Ｂの下端横折合線２０には、後面部３Ｃが連接配位されてなるもので、該後面部３Ｃの縦及び横方向の寸法も、収納される名刺の寸法に合せて決定される。
そして該後面部３Ｃの下端の横折合線２０に連接して、上辺部３Ｄが配位されてなるもので、該上辺部３Ｄの間隔も下辺部３Ｂの間隔と同等に形成されるものである。
更に該上辺部３Ｄの下端の横折合線２０に連接してその下端が半円弧状で且その頂部３０Ｅは成形板材２が折合組立てられた場合に、前面部３Ａの係止スリット３２Ａの下部位まで至る長さで、且該係止スリット３２Ａと対向する位置には折合組立てがなされた場合に、該係止スリット３２Ａ内に挟入係止しえるよう半円弧状で且その両側端には一体的に流線切込みされた係止舌３１Ｆを有する蓋部３Ｅが連接形成されている。【００１９】  加えて前面部３Ａの両側端には縦折合線２１を介して前面部両側縁３３Ａ、３３Ａが連接形成されてなり、且下辺部３Ｂの両側端には、縦折合線２１を介して下辺部両側縁３３Ｂ、３３Ｂが連接形成されている。
加えて後面部３Ｃの両側端には縦折合線２１を介して後面部両側縁３３Ｃ、３３Ｃが折合形成されている。
そして下辺部両側縁３３Ｂ、３３Ｂ及び後面部両側縁３３Ｃ、３３Ｃは、下辺部３Ｂの上端横折合線２０及び下端横折合線２０での折合により相互が接合されて側辺部３Ｆを形成させるうえから、下辺部両側縁３３Ｂ、３３Ｂには接合切欠部３４Ｂ、３４Ｂが、及び後面部両側縁３３Ｃ、３３Ｃには接合切欠部３４Ｃ、３４Ｃが設けられている。【００２０】  かくしてなる成形板材２を用い折合組立てには、前面部３Ａの下端横折合線２０を後方に折合のうえ、下辺部３Ｂの下端横折合線２０を上方に折合し、次いで後面部３Ｃの下端横折合線２０を前方に折合して、且上辺部３Ｄの下端横折合線２０を下方に向って折合させる。
更に下辺部両側縁３３Ｂ、３３Ｂを縦折合線２１にて直角状に折合させ、且後面部両側縁３３Ｃ、３３Ｃも縦折合線２１より直角状に折合させることにより、下辺部両側縁３３Ｂ、３３Ｂの接合切欠部３４Ｂ、３４Ｂと、後面部両側縁３３Ｃ、３３Ｃの接合切欠部３４Ｃ、３４Ｃが接合して側辺部３Ｆが形成される。【００２１】  かかる場合に、下辺部両側縁３３Ｂ、３３Ｂの接合切欠部３４Ｂ、３４Ｂ及び後面部両側縁３３Ｃ、３３Ｃの接合切欠部３４Ｃ、３４Ｃの切欠形状は、相互の折合により接合されて側辺部３Ｆを形成するものであれば特段の制約は無く、図３に示す如き切欠形状のものでも実用使用に供しえる。
そして前面部両側縁３３Ａ、３３Ａをその縦折合線２１より折合させることにより、側辺部３Ｆの上面に積層される状態となる。【００２２】  かくして折合し組立てられて形成される側辺部３Ｆと、該側辺部３Ｆに積層される前面部両側縁３３Ａ、３３Ａとを融着固定３５することにより本考案品３が形成される。
かかる場合に融着固定３５は、収納される名刺の重量も僅かであるから、側辺部３Ｆ全面に対してせいぜい５乃至１０個所の点融着により十分に融着固着が可能である。更に融着固着手段は使用する素材によっても適不適があるが、本考案では超音波融着が好適である。
【産業上の利用可能性】
【００２３】  使用する素材を、所要の展開形状に打抜成形して成形板材を作成すれば、簡便且能率的に折合組立でき形成できる。
【図面の簡単な説明】
【００２４】
【図１】  本考案品の見取図である。
【図２】  成形板材の説明図である。
【図３】  側辺部の接合形状の例示図である。
【符号の説明】
【００２５】  １    素材
１Ａ  エンボス細線条
２    成形板材
２０    横折合線
２１    縦折合線
３    本考案品
３Ａ  前面部
３０Ａ  切欠部
３１Ａ  切欠部上辺
３２Ａ  係止スリット
３３Ａ  前面部両側縁
３Ｂ  下辺部
３３Ｂ  下辺部両側縁
３４Ｂ  下辺部両側縁の接合切欠部
３Ｃ  後面部
３３Ｃ  後面部両側縁
３４Ｃ  後面部両側縁の接合切欠部
３Ｄ  上辺部
３Ｅ  蓋部
３０Ｅ  蓋部の頂部
３Ｆ  側辺部
３１Ｆ  係止舌
３５    融着固定
【図１】
0003126760.tif 000003
【図２】
0003126760.tif 000004
【図３】
0003126760.tif 000005